(57)【要約】      （修正有）【課題】レンジフードファンの頑固な油汚れを落とすことができるレンジフードファン洗浄器を提供する。【解決手段】レンジフードファンを軸１ａに固定し、水と洗剤が入った容器２ａに設置する。操作部１ｊスイッチ１ｇを入れるとモーター１ｆが作動し、軸１ａを中心に洗濯機の回転のように左右に回転し、レンジフードファンの油汚れを除去する。【選択図】図５
0003176878.tif 000002
【実用新案登録請求の範囲】
【請求項１】
レンジフードファンをレンジフードファン洗浄器の軸に固定し、水と洗剤を入れた容器に設置する。操作部のタイマースイッチを入れるとモーターが作動し洗浄が開始する。軸を中心に洗濯機の回転のように左右に回転することにより、レンジフードファンの油汚れを除去することを特徴としたレンジフードファン洗浄器。
【請求項２】
前記レンジフードファン洗浄器容器は、一例としてプラスチックで形成したことを特徴とする請求項１記載のレンジフードファン洗浄器。
【請求項３】
前記レンジフードファンを固定する軸にストッパーを設け、洗浄時に軸が回転した時に起こる空回りを防ぐことを特徴とする請求項１記載のレンジフードファン洗浄器。
【請求項４】
前記レンジフードファンを軸に固定するための固定ネジを備えていることを特徴とする請求項１記載のレンジフードファン洗浄器。
【請求項５】
前記レンジフードファンを固定する軸には、様々な形態があるレンジフードファンに対応するため、水量と洗剤量を決める目安となる目盛りがあることを特徴とする請求項１記載のレンジフードファン洗浄器。
【請求項６】
前記レンジフードファンを固定する軸の目盛りと同様に容器にも目盛りがあり、水量と洗剤量を決める目安となる目盛りがあることを特徴とする請求項１記載のレンジフードファン洗浄器。
【請求項７】
前記レンジフードファンを固定する軸には、洗浄による水漏れ防止のためパッキンが設けられていることを特徴とする請求項１記載のレンジフードファン洗浄器。
【請求項８】
前記レンジフードファン洗浄器には、洗濯機の回転の様に左右に回転するモーターを設けられていることを特徴とする請求項１記載のレンジフードファン洗浄器。
【請求項９】
前記レンジフードファン洗浄器には、モーターを作動させるために操作部からは、さし込みプラグが設けられており、電源を取って使用することを特徴とする請求項１記載のレンジフードファン洗浄器。
【請求項１０】
前記レンジフードファン洗浄器にはタイマースイッチが設けられており、油汚れに応じ時間を決めて作動させるもので、洗浄完了を操作者に知らせるブザーが鳴り、合図となることを特徴とするレンジフードファン洗浄器。
【考案の詳細な説明】
【技術分野】
【０００１】本考案は、キッチンのレンジフードファンの油汚れを自動で洗浄する、レンジフードファン洗浄器に関するものである。
【背景技術】
【０００２】一般の家庭のレンジフード内には、清掃時に取外し可能なレンジフードファンが設けられている。【０００３】レンジフードファンには様々な形態があるが、一例として一般的なレンジフードファンを以下、図６により説明する。図において、レンジフードファンは円柱になっており、筒状の箇所には、Ａに示す様に羽が一廻りに何枚もある構造をしている。中央部には、レンジフード本体に取り付けるためのネジ穴Ｂがある。また、レンジフード本体にも空回りしないためにストッパー１ｂと同様の部品があり、ネジ穴Ｂの裏側には、くぼみや突起物が設けられている。
【先行技術文献】
【特許文献】
【０００４】
【特許文献１】  特開平１０−３０６９３８号公報
【特許文献２】  特開平１１−３１１４３１号公報
【考案の概要】
【考案が解決しようとする課題】
【０００５】上記に述べたレンジフードファンの羽Ａに、特に頑固な油汚れが付着してしまう為、汚れを落とすのが困難であった。【０００６】従来の作業としては、図６に示すレンジフードファンを洗剤で浸け置きし、表面の油汚れを浮かせた後、手作業で汚れを落とす作業を行っており、清掃作業に大幅な手間と時間がかかっていた。
【課題を解決するための手段】
【０００７】本考案は上記従来の問題点を解決するため、その目的とするところはレンジフードファンの油汚れを隅々まで洗浄でき、人手による清掃作業の手間と時間を大幅に削減することを目的とするものである。【０００８】レンジフード本体よりレンジフードファンを取り外し、レンジフードファンを本考案のレンジフードファン洗浄器の軸にネジで固定させ、水と洗剤を入れた一例としてプラスチックで形成された容器に設置する。操作部からはさし込みプラグが設けられており電源を取り、タイマースイッチを入れるとモーターが作動し、軸を中心に洗濯機の回転のように左右に回転し、レンジフードファンの油汚れを除去する。特に従来人手により手間と時間を要してきた、レンジフードファンの特徴の羽の部分に効果が表れることを特徴としている。【０００９】レンジフードファンには様々な形態があるが、レンジフード本体に取り付けるためのネジ穴と、ネジ穴の裏側に空回りを防ぐ、くぼみや突起物が必ず設けられており、ほぼ統一されているため様々なレンジフードファンを本考案のレンジフードファン洗浄器の軸に、取り付けが可能である。【００１０】上述したように、レンジフードファンには、ネジ穴と裏側にくぼみや突起物が設けられているため、その特徴を生かし本考案のレンジフードファン洗浄器の軸にも洗浄時に空回りを防ぐことができるストッパーを設けている。【００１１】また、レンジフードファンを取り付ける軸には、洗浄による水漏れ防止のため、パッキンが設けられている。【００１２】また、レンジフードファンの様々な形態に合わせ、水量と洗剤量が変わるため、軸と容器に目盛りを設け目安としている。【００１３】レンジフードファンの操作部には、タイマースイッチが設けられており、油汚れに応じて時間を決めて作動させるもので、ブザーが鳴り洗浄完了を操作者に知らせる合図となる。
【考案の効果】
【００１４】上述したように本考案のレンジフードファン洗浄器は、レンジフードファンの羽の特徴によって清掃を困難にしてきたが、従来行ってきた洗剤による浸け置きと手作業による洗浄を同時に行えるため、人手により手間と時間を要してきた作業時間を大幅に短縮することを可能とした。
【図面の簡単な説明】
【００１５】
【図１】主要部の外観図
【図２】一例を示す容器の外観図
【図３】主要部と一例を示す容器を設置した外観図
【図４】主要部とレンジフードファンを設置した外観図
【図５】主要部と一例を示す容器とレンジフードファンを設置した断面図
【図６】レンジフード内にあるファンの外観図
【考案を実施するための形態】
【００１６】油で汚れたレンジフードファンを水と洗剤が入った本考案のレンジフードファン洗浄器の軸にセットしスイッチを入れると油で汚れたファン自体が左右に回転し数分で自動で停止する。この作業により油で汚れたレンジフードファンの汚れを落とすことが可能となる。
【産業上の利用可能性】
【００１７】主に一般の家庭や清掃業者がレンジフードクリーニングを行う時のファンのクリーニングを行う時に利用の可能性がある。
【符号の説明】
【００１８】１ａ  軸
１ｂ  ストッパー
１ｃ  固定ネジ
１ｄ  軸目盛り
１ｅ  パッキン
１ｆ  モーター
１ｇ  タイマースイッチ
１ｈ  さし込みプラグ
１ｉ  フタ
１ｊ  操作部
２ａ  容器
２ｂ  容器目盛り
２ｃ  持ち手
Ａ    羽
Ｂ    ネジ穴
【図１】
0003176878.tif 000003
【図２】
0003176878.tif 000004
【図３】
0003176878.tif 000005
【図４】
0003176878.tif 000006
【図５】
0003176878.tif 000007
【図６】
0003176878.tif 000008
【手続補正書】
【提出日】平成24年3月1日(2012.3.1)
【手続補正１】
【補正対象書類名】実用新案登録請求の範囲
【補正対象項目名】請求項１
【補正方法】変更
【補正の内容】
【請求項１】
レンジフードファンをレンジフードファン洗浄器の軸に固定し、水と洗剤を入れた容器に設置し操作部のタイマースイッチを入れるとモーターが作動し洗浄が始まり軸を中心に洗濯機の回転のように左右に回転することにより、レンジフードファンの油汚れを除去することを特徴としたレンジフードファン洗浄器。
【手続補正２】
【補正対象書類名】実用新案登録請求の範囲
【補正対象項目名】請求項２
【補正方法】変更
【補正の内容】
【請求項２】
前記レンジフードファン洗浄器の容器はプラスチックで形成したことを特徴とする請求項１記載のレンジフードファン洗浄器。
【手続補正３】
【補正対象書類名】実用新案登録請求の範囲
【補正対象項目名】請求項６
【補正方法】変更
【補正の内容】
【請求項６】
前記レンジフードファンを固定する軸の目盛りと同様に請求項６において容器にも目盛りがあり、水量と洗剤量を決める目安となる目盛りがあることを特徴とする請求項５記載のレンジフードファン洗浄器。
【手続補正４】
【補正対象書類名】実用新案登録請求の範囲
【補正対象項目名】請求項１０
【補正方法】変更
【補正の内容】
【請求項１０】
前記レンジフードファン洗浄器には請求項１０においてタイマースイッチが設けられており、油汚れに応じ時間を決めて作動させるもので、洗浄完了を操作者に知らせるブザーが鳴り、合図となることを特徴とする請求項１記載のレンジフードファン洗浄器。